(57)【要約】曲線付きの帽子まびさし成形具（２０，２０Ａ，２０Ｂ）に、帽子まびさし（１８）の側面縁がまびさし成形具に結合されると同時に、所望の曲率が帽子まびさしに分け与えられる各端部における、結合つまみ（１５）、スナップ（３０）、スパイク（４６）、あるいは調節可能スナップ（３６）がある。まびさし成形具に蝶番付きで接合される対の曲線付きの腕（８Ｂ，９Ｂ）により帽子まびさし下に間にこれが挟まれて調節可能に重ね合わせられ得る。まびさし成形具および腕からの突起点（１４，４６）は帽子まびさしに穿孔またはぎざぎざが付けられ得る。サイン（４４）が帽子まびさしを覆うかあるいは部分的に覆うまびさし成形具の上面（２１）上に置かれ得る。【選択図】図１７
2008501871.tif 000002
【特許請求の範囲】
【請求項１】
着用者の額と目が遮られるよう前方にかつ横から横まで十分な距離だけ拡がり、まびさしに望まれる曲線が形成される成形可能帽子まびさしに即時に利用されると同時に、帽子まびさし上の然るべき所に装着され得るとともに、該成形可能帽子まびさしの上面の接触に対応される露出上面側および下面側の含まれる該成形可能帽子まびさしの幅より少しだけ長さの長い曲線付きの成形細長片、それぞれ帽子まびさし面縁の接触かつ保持に対応されるそれぞれ該成形細長片の対向端部から下方に拡がる1組の保持縁細長片、ならびに帽子まびさしの両面のそれぞれを該成形細長片に結合する成形細長片各端部の結合手段が含まれるとともに、該成形細長片がスポーツ行事の場合のように帽子の激しい使用中でも該成形可能帽子まびさしからはずれ落ちないように、曲線付きの成形細長片の下側に該成形可能帽子まびさしの片面の１部分が移動可能に受入れられるとともに圧縮されかつ締め上げ圧縮合わせでしっかり捕捉されるよう対応されるとともに、該成形可能帽子まびさしが曲線付きの成形細長片の形状と一致するよう合わされる場合において、帽子まびさしの相対的に平たい形状の成形細長片および組の保持縁細長片ならびに帽子まびさしを各端部におけるまびさし成形細長片の固定兼結合の結合手段との間に挿入可能な該成形可能帽子まびさしの受入れのための成形細長片の相対的に平たい形状の外側方向の曲げ、そしてさらに、帽子およびまびさし上の曲線付きの成形細長片の取り外し可能な保持および該成形可能帽子まびさしの曲線付きの成形細長片に一致させる曲げのための曲線付きの形状への曲げ戻しに対応される半硬質な材料からなる1部品で製作されると同時に、成形細長片の露出上面側の上に見やすいサインがのると同時に、該成形細長片の簡単な取り外しとともに、もう１つ異なる見やすいサインがのる取替え成形細長片との該取替え成形細長片の露出上面側での取替えに対応される、成形可能まびさし付き帽子用の帽子まびさし成形装置。
【請求項２】
該結合手段に、該保持縁細長片から内側に拡がるとともに該成形可能帽子まびさしの厚み未満の分だけ該成形細長片の下面側から隔てられる各端における一定間隔の取付け結合つまみ棒のある成形細長片が含まれ、該結合つまみ棒のそれぞれにより該成形可能帽子まびさしの横縁の一部分が受入れられると同時に圧縮されかつ締め上げ圧縮合わせで曲線付きの成形細長片の下面にしっかりと捕捉されるよう対応される請求項１に記載の装置。
【請求項３】
結合手段に、第1端部に隣接する成形細長片の下側に取付けられる雄スナップ、第２端部に隣接する成形細長片の下側に取付けられる調節可能スナップが含まれるとともに、該調節可能スナップに箱、ひもの通るすべり具およびひもの通るキャップが含まれ、これによってひもの通るすべり具が箱の棚で平行移動可能となると同時に、ひもの通るキャップの回転によって固定可能となって、ひもの通るキャップの１端がひもの通るキャップの端部とひもの通るすべり具の基盤部との間で箱と接触し、これによってひもの通るすべり具とひもの通るキャップが箱に関連して保持され、２つのまびさしスナップが雄スナップおよびひもの通るキャップにサイズが一致して帽子まびさしに取付けられる、雄スナップおよびひもの通るキャップの帽子まびさしへの固定用の請求項１に記載の装置。
【請求項４】
該結合手段に、第1端部に隣接する成形細長片の下側に取付けられる第1スパイク部、第２端部に隣接する成形細長片の下側に取付けられる第２スパイク部、成形細長片が帽子まびさしに固定されるための２つの保持具が含まれ、該保持具が基盤部および穴を有しこれによって第1および第２スパイク部が帽子まびさしを貫通して該保持具の穴に挿入されて、保持具の基盤部が帽子まびさしの下側に隣接するようになって成形細長片が帽子まびさしの上面に固定される請求項１に記載の装置。
【請求項５】
結合手段に、第1端部に隣接する成形細長片の下側に取付けられるスパイク部、第２端部に隣接する成形細長片の下側に取付けられる調節可能スナップが含まれ、該調節可能スナップに、箱、ひもの通るすべり具ならびにひもの通るキャップ、成形細長片の第１端部の帽子まびさしへの固定用保持具が含まれるとともに、該保持具が基盤部および穴、ひもの通るキャップおよびまびさし調節具の第２端部近くの帽子まびさしへの固定用のひもの通るキャップとサイズが一致する帽子まびさしに取付けられるまびさしスナップを有し、これによって、ひもの通るすべり具が箱の棚で平行移動可能となると同時に、ひもの通るキャップの回転によって固定可能となって、ひもの通るキャップの1端がひもの通るキャップとすべり具の基盤部との間で箱に接触し、これによってひもの通るすべり具ならびにひもの通るキャップが箱に関連して保持される請求項１に記載の装置。
【請求項６】
まびさしに望まれる丸みが形成されるために即時に成形可能帽子ひさしに利用されるとともに帽子まびさしの然るべき位置に着用され得て、着用者の額と目が遮られるよう十分な距離で前方かつ横から横まで拡がるとともに、成形可能帽子まびさしの幅よりも長さが少しだけ長い曲線付きの成形細長片が含まれて、該成形細長片には成形可能帽子まびさしの上面に接触するよう合わされると同時に該成形可能帽子まびさしが曲線付きの成形細長片の形状に一致するよう合わされる露出した上側面と下側面があるとともに、成形可能帽子まびさしの厚み未満の量だけ成形細長片の下側から離される各端部に取付けられる一定間隔配置の結合つまみ棒があって、該結合つまみ棒により成形可能帽子まびさしの横縁の一部分が受入れられると同時に圧縮され、かつ曲線付きの成形細長片の下側に締め上げ圧縮合わせでしっかりと捕捉されるよう合わされて、かつスポーツ行事の場合にようにその帽子の激しい使用中でも成形可能帽子まびさしから外れ落ちることがない場合において、相対的に平たい成形細長片の形状の外側曲げに合わされる半硬質な材料から1部品で製作されて、該結合つまみ棒が、成形可能帽子まびさしがその相対的に平たい帽子まびさしの形状での該結合つまみ棒と成形細長片の間への挿入が可能な受入れのために外側曲げに合わされ、かつさらに該成形可能帽子まびさしの形成ならびに該結合つまみ棒と該曲線付きの成形細長片の間の成形可能帽子まびさしの縁の1部分の結合のために曲線付き形状への曲げ戻しに合わされる、成形可能なまびさし付き帽子用の帽子まびさし成形装置。
【請求項７】
さらに帽子まびさし成形装置から拡がる少なくとも1ヶ所の鋭い突出部が含まれ、この少なくとも1ヶ所の鋭い突出部が帽子まびさしと噛み合うとともに、帽子まびさし成形具が帽子まびさしの然るべき場所に支えられて保持されるよう対応される請求項６に記載の帽子まびさし成形装置。
【請求項８】
さらに成形細長片の組の各端部でその片方に関して回転するように取付けられる1組の曲線付きの腕が含まれ、該組の曲線付きの形状をした該腕が調節可能な重ね合わせ手段を有すると同時に成形細長片の曲率と対となった曲率を有して、該組の曲線付きの形状の腕が回転して帽子まびさしの下側に接触すると同時に帽子まびさしがその間に挟み込まれ、かつさらに帽子まびさしの形成が助けられると同時に帽子まびさし上に帽子まびさし成形具が保持されるよう合わされる請求項６に記載の帽子まびさし成形装置。
【請求項９】
さらに曲線付きの腕の該組から拡がる少なくとも1ヶ所の鋭い突出部が含まれ、少なくとも1ヶ所の鋭い該突出部が帽子まびさしと噛み合うと同時に、帽子まびさし成形具が帽子まびさし上の然るべき場所に保持されるよう合わされる請求項８に記載の帽子まびさし成形装置。
【請求項１０】
さらに成形可能帽子まびさしの厚み未満の量だけ成形細長片の下側から離れて、成形細長片の正面横縁上に一定間隔で取付けられる結合つまみ棒が含まれて、該つまみ棒により成形可能帽子まびさしの正面縁の一部分が受入れられると同時に圧縮されかつ曲線付きの細長片の下側にしっかりと締め上げ圧縮合わせで捕捉されるように対応される請求項６に記載の帽子まびさし成形装置。
【請求項１１】
成形細長片の露出された上側にそこに置かれるサインが受入れられるよう合わされる請求項６に記載の帽子まびさし成形装置。
【請求項１２】
成形細長片の上面にそこに置かれる印刷されたサインが受入れられるよう対応される請求項１１に記載の帽子まびさし成形装置。
【請求項１３】
成形細長片の上面側に少なくとも1ヶ所のそこに置かれる写し絵が受入れられるよう対応される請求項１１に記載の帽子まびさし成形装置。
【請求項１４】
成形細長片の幅が成形可能帽子まびさしの長さより狭い請求項６に記載の帽子まびさし成形装置。
【請求項１５】
成形細長片の幅が成形可能帽子まびさしの長さと等しい請求項６に記載の帽子まびさし成形装置。
【請求項１６】
成形細長片の幅が成形可能帽子まびさしの長さより長い請求項６に記載の帽子まびさし成形装置。
【請求項１７】
帽子まびさしの上面と接触するよう合わされると同時に帽子まびさしを曲線付きの細長片の形状に一致させるよう合わされる露出した下面側ならびに上面側があるとともに、帽子まびさしの厚み未満の量だけ成形細長片の下面側から離れて各端部に取付けられる一定間隔のつまみ棒があって、該つまみ棒により帽子まびさしの横面縁が曲線付きの成形細長片の下面に締め上げ圧縮合わせで固定されるよう合わされる帽子まびさしの幅より長さの少しだけ長い曲線付きの成形細長片、および調節可能な重ね合わせ手段を有すると同時に成形細長片の曲率と対の曲率を有して、該組の曲線形状腕が回転して帽子まびさしの下面と接触するようになると同時にその間に帽子まびさしが挟み込まれるようさらには帽子まびさしの成形が助けられかつ帽子まびさし成形具が帽子まびさしに保持されるように合わせられる該成形細長片の各端部で該組の片方について回転するように取付けられる1組の曲線付きの腕が含まれるとともに、即時に帽子まびさしに利用されると同時に帽子まびさし上の然るべき場所に該帽子まびさし成形装置とともに着用され得る帽子まびさし成形装置。
【請求項１８】
さらに帽子まびさしと噛み合うと同時に帽子まびさし成形具が帽子まびさしの然るべき場所に保持されるのが助けられるよう合わされる該組の曲線付きの腕から拡がる少なくとも1ヶ所の鋭い突起部が含まれる請求項１７に記載の帽子まびさし成形装置。
【請求項１９】
曲線付きの成形細長片が、帽子まびさしが相対的に平たい帽子まびさしの形状でつまみ棒と成形細長片との間に挿入可能に受入れられるように外側方向の曲げに合わされると同時に、さらに帽子まびさしの成形のため曲線付きの形状に曲げ戻るよう合わされる半硬質な材料で製作される請求項１７に記載の帽子まびさし成形装置。
【発明の詳細な説明】
【技術分野】
【０００１】
本発明は帽子成形装置、特に、即時にまびさしの形状を、望まれる丸みあるいは曲線に形成するとともに、帽子が着用者の頭に乗っている時に帽子に着用され得る、またスポーツチーム、宣伝、あるいはその他任意の所望される情報および画像に関連する情報および画像が乗せられる前方が拡がる日よけあるいはまびさし付き野球帽あるいはその他の帽子の日よけあるいはまびさし用の成形具あるいは形状調節具に関する。
【背景技術】
【０００２】
野球帽の販売時には帽子のまびさしあるいは日よけは比較的平たい。これは着用向けの流行発表あるいは一般的望ましさの点で受入れがたい点として考えられる。
【０００３】
まびさしの両面縁が野球帽のまびさしの中央よりかなり低くなるようにまびさしに丸みあるいは曲線を付けることもまた、着用者の目の両側に、伸されるまびさし自身の日陰度合いが助けられるより低い日陰が創られるのに役立つ。
【０００４】
まびさし付きの野球帽およびその他の帽子は重要なよく売れる商品である。多くの利用者が特別な丸みあるいは角度を帽子まびさしに付けたがる。ある利用者によっては帽子のまびさしをその望まれる丸みに「整えるために」、ゴムバンドと一緒にコーヒーマグあるいはソフトボールのような曲線付きの品物が使用される。帽子のまびさしは利用者に所望される丸みを保持していないことがあったり、あるいはまびさしが雨、雪あるいは汗で濡れる場合にまびさしの丸みが変化することがあったりする。まびさしの特定の丸みは太陽を遮るためやあるいその他の多くの理由で必要とされる場合がある。背景技術では、サイン用の余地の提供と同様、まびさしの望まれる丸みが得られかつ維持される適当な方法は提供されていない。
【０００５】
多くの利用者は特定のチームあるいは製品の応援・宣伝を望んだりあるいは特定選手の応援あるいは特定チームあるいは選手への反感の表示を望んだりあるいは帽子まびさしにひいき文言の表示を望んだりする。帽子まびさしには利用者が応援している人に応じてあるいは帽子着用者が参加している行事のタイプに応じて、相互交換可能である文言あるいはサインがあることが望まれる。利用者は、同様に、まびさしに交換可能なサインに加えて「最適」なまびさしの丸みの獲得を望む。
【０００６】
多くの帽子成形装置および沢山の野球帽のまびさしあるいは日よけ成形用装置があったのに、そのどれによってもスポーツ行事のような時の帽子購入時に帽子まびさしの即時の成形手段や帽子と一体部分としての成形装置の着用能力は提供されていない。
【０００７】
1997年6月3日にScharrenbergに公布された米国特許5,634,575は、日よけに隣接して位置する曲げやすい部材を含むと同時に、改造中の日よけを位置決めしかつ保持するスロットを受ける日よけが形成される両脇あるいはその中心に沿う保持板のある野球帽タイプの日よけの改造装置および方法に関している。日よけを保持するスロットの代わりにクリップが使用される場合がある。革ひもあるいは類似の細長い道具が曲げやすい部材の両脇に添えられると同時に前記両脇が一緒に引かれて引張りが生じこれによって日よけに拡大した角張った輪郭が分け与えられ、該革ひもが凹んだ両脇間のまびさしを横切って真っ直ぐ伸びて、帽子が付属装置と一緒に着用されている場合に着用者の視野が革ひもによって遮られる。日よけに次の新しい輪郭設定が行われるまで革ひもの掛け金により望まれる引張りとまびさし輪郭が保持される。該方法には日よけを湿らせることが含まれ得ると同時に、様々な中間輪郭が試されるかあるいは望まれる半永久の日よけの設定提供が可能となるように繰り返して行われ得る。
【０００８】
Barbaccia に1999年11月30日に公布された米国特許5,991,927では、帽子まびさしが成形装置にはまり込み、該まびさしがまびさし形成壁の形状に形成される成形装置が提供されている。該まびさし支持壁にはさらにチームの熱心さおよび忠節心のサインならびに野球カードが保管されかつ表示されるための透明プラスチックカードホールダーが含まれるのが好ましい。該装置は着用者の頭上には着用可能でないと同時に活動的な使用中にすぐ滑り落ちてしまうと思われる。
【０００９】
Bergerに2001年11月13日に公布された米国特許6,315,175では、２本の曲げやすい部材と三番目の剛な構造の蝶番付きの円弧状部材から構成される曲げやすい骨組のある帽子のつばを改造する装置が公表されている。２本の曲げやすい部材は曲線付きの剛な底部部材の先端に取付けられると同時に、蝶番廻りの底部部材の節接合の程度に関係なく平行関係に維持される。この構造により利用者が帽子のつばを平行スロットに挿入すると同時に該装置を曲げることが可能となり、これにより、帽子のつばに様々な程度の曲率が分け与えられる。掛け金装置は該装置により望まれる曲率がつばに分け与えられる特定位置で調節あるいは設定可能となるよう底部部材に接続される。さらに、該装置には吊されるための１端に取付け留め金があり、これは帽子がそこに保持されながら装置の保管あるいは表示の装置として使用可能である。帽子は然るべき場所での装置と一緒の着用は不可能である。
【００１０】
Levinに1999年6月１日付けで公布された米国特許5,908,146には、帽子のつばの弓曲げ用ならびに帽子の保管、搬送、洗濯および／または表示用の装置が公開されており、この帽子には、第１および第２受入れ区域が形成されるこれらの交差部の各端部において、帽子つばの第１側面および第２側面への受入れのために上方に伸びる第１および第２保持腕が利用されて、つばにより望まれる曲線が形成される本体部分がある。様々な所望のつばの曲率向けに交互のつば受入れ区域が形成されるつばの片側の受入れのため受入れ区域のそれぞれの内側に切り欠きが配され得る。該帽子は該装置が取付けられた状態では着用不可能である。
【００１１】
Schoonoverに1991年5月7日付けで公布された米国特許5,012,531では、上皮および下皮が含まれ、野球試合で使用されるように、両側の皮部分により帽子の後部分が帽子の前面部分が内部の前方に折り畳まれる場合の日よけ付きタイプの帽子が収納されるようサイズが決められかつ合わされる日よけ付き帽子用のホールダーあるいは箱が保持される形態が特許請求されている。このようなホールダーでは、帽子は上皮と下皮間に挿入されて帽子の形が運搬および保管中に保持されるとともに、帽子用にあるわずかな防護が提供される。上皮および下皮は、既知の合わせ固定手段によってそして上皮の日よけ部分の下面に置かれる唇状の縁によってつなぎ合わせられ、このような唇状の縁はそこの下皮の日よけと噛み合うように合わされる。換気孔が、上下両方の皮部分特に着用者の頭が帽子にぴったりと納まる帽子の王冠部分の周辺に隣接する部分に設けられ得る。該装置により帽子の正面全体が覆われると同時に、それ故、帽子上のサインも覆われてしまいかつ着衣のためにも望ましくないと思われる。装置の存在により帽子のサイズが変わるので、この点もまた着用には望ましくないであろう。
【００１２】
必要とされるものは、帽子まびさし周辺が調節可能に合わせられると同時に、まびさしが魅力的に合わされることが可能であって、購入する帽子に即時に利用されるととともに、帽子と一緒に着用されると同時に、即座に、望まれる曲率への帽子のまびさしの調節あるいは成形が可能であり、かつ個人的な表現の宣伝あるいは独自の文言、宣伝あるいはスポーツ関連の文言および／または画像の表示手段が設けられる廉価で単純な帯の構造である。
【００１３】
【特許文献１】米国特許5,634,575
【特許文献２】米国特許5,991,927
【特許文献３】米国特許6,315,175
【特許文献４】米国特許5,908,146
【特許文献５】米国特許5,012,531
【発明の開示】
【発明が解決しようとする課題】
【００１４】
本発明の目的は、まびさしの表面とまびさしの形状が望まれる曲率に魅力的に合うよう帽子まびさし成形帽子の購入時に、即座に、帽子に利用される帽子まびさし調節具あるいは成形装置が提供されることである。
【００１５】
本発明のもう一つの目的は、体育館のスポーツ行事のように購入場所の行事に関係し得る宣伝、関連スポーツ、個人的文言、あるいは、その他のサインが含まれ得る、即座に利用されて、購入された該帽子に本発明のまびさし成形具が購入場所で利用され、即座に帽子まびさしの成形が行われるとともに着用されて、まびさしに行事に関連したサインが表示され得る帽子まびさし成形装置が提供されることである。
【００１６】
本発明のさらにもう一つの目的は帽子まびさしにしっかりと固定されると同時にたとえスポーツ行事中に着用される場合でも滑り落ちない帽子まびさし成形装置が提供されることである。
【００１７】
本発明のさらなる目的は帽子が着用される使用中も、帽子が着用されない時の保管中にもまびさし上に常時あって、帽子まびさしの形が常に保持されると同時に望まれる丸みあるいは曲率が決して失われない帽子まびさし成形装置が提供されることである。
【００１８】
本発明のさらなる目的は、帽子着用中の使用のために帽子まびさしに有効に固定されるだけでなく廉価で製造もされる一方で、望まれる場合には、穿孔あるいはぎざぎざが利用されたまびさし成形装置中に組込まれる突起点が設けられて、下側の帽子まびさしの表面が帽子まびさしと永続的に噛み合う帽子まびさし成形装置が提供されることである。
【００１９】
本発明の一助となる目的は任意の行事用にいつでも印刷され得る鋳造プラスチックが含まれる印刷可能材料から製造される帽子まびさし成形装置が提供されることである。
【００２０】
本発明のさらにもう一つの目的は交換可能なサイン付きの帽子まびさし調節具あるいは成形具が提供されることである。
【００２１】
本発明のさらにもう一つの目的は利用者により任意の所望するサインが帽子まびさし上につけられると同時に帽子まびさしの所望の丸みが保持される装置が提供されることである。
【課題を解決するための手段】
【００２２】
本発明のさらにもう一つの目的は、利用者により帽子まびさし上のサインが取り替えられるとともに所望の帽子まびさしの丸みが保持されることが可能である装置が提供されることである。
【００２３】
まとめると、皮革あるいは板紙材料製の成型硬質曲線付き細長片のような鋳造プラスチックあるいはその他の材料の丸み付きあるいは曲線付きの硬質な細長片に、各端に帽子まびさし成形具から帽子まびさしの厚みより少しだけ短い距離だけ離れて一定間隔で置かれる硬質なつまみ棒のある帽子まびさし結合要素が設けられて、側面縁がつまみ棒と帽子まびさし成形具間に該つまみ棒が帽子まびさしの下側に埋め込まれて締め上げ圧縮合わせで挿入可能となると同時に、帽子まびさしにより同じ曲線付きの形状が保持されるように帽子まびさし成形具の下側の曲率と一致して帽子まびさしの上面と一緒に帽子まびさしがそこに保持される。
【００２４】
帽子まびさし成形具は帽子まびさしの全長未満の幅があるかあるいは帽子まびさしの長さに等しいかあるいは帽子まびさしより長い幅のある材料の帯であり得て、これによって帽子まびさしの上面全体が覆われる。
【００２５】
帽子まびさし成形具にはさらに帽子まびさしにぎざぎざを付けるかあるいはこれを貫通するため帽子まびさしの中に伸びる帽子まびさしの成形具から出る好ましくは帽子まびさしの下側に小さな先の鋭い突起部が設けられ、これによって帽子まびさし成形具が帽子まびさしからの滑り落ちが防止される。帽子まびさし成形具が帽子まびさしの長さより広い場合には、帽子まびさし成形具には印刷あるいは焼き印あるいは押印あるいはその他のそこに貼りつけるサイン用のより広い面が設けられると同時に帽子まびさしの前面を越える追加の日陰部分も設けられる。
【００２６】
さらに、帽子まびさし成形具には留め金が掛けられると同時に、帽子まびさし上の捕捉機能追加のため帽子まびさしの前面縁が噛み合わせに対応される帽子まびさし成形具の前面側に帽子まびさし結合要素があると良い。
【００２７】
帽子まびさし成形具と同じ形状に一致する曲線付きの硬質な相互重ね合わせ調節可能な腕もまた設けられるとともに、これらが帽子まびさし下で重なると同時に、さらに帽子まびさし成形具上の然るべき場所での帽子まびさし成形具の保持ならびに帽子まびさしの所望の曲率の維持が助けられるよう帽子まびさしの底側に押しつけられるように蝶番がつけられ得る。帽子まびさしの下側にぎざぎざが付けられるかあるいは貫通する帽子まびさし成形具からの突起点によりさらに帽子まびさし上における帽子まびさし成形具の保持が助けられる。
【００２８】
本発明では、あるまびさし付き帽子から別のまびさし付き帽子へ移動可能である利用者が調節可能な丸み調節具あるいは成形具および帽子まびさし向けサインが設けられる。サインは装置に永続的に利用されるかあるいは利用者によって自らの事情に合わせて設定され得る。
【発明の効果】
【００２９】
本発明の利点は帽子まびさし成形具が帽子が得られると同時に即座に着用される帽子に利用されるとともに帽子まびさしが該帽子まびさし成形具の曲率に合わせられる利用者向けの手段が提供される点である。
【００３０】
本発明のもう一つの利点は帽子まびさし成形具が、帽子の着用中、帽子の吊り下げ中、帽子の運搬中あるいはその他任意の時も含めて、帽子まびさしに常に付けられて帽子まびさしの望まれる曲率が常に維持される手段が提供される点である。
【００３１】
本発明のさらなる利点は、個人的文言であれ、チームの精神を示すことであれ、特定の行事を狙うものであれ、あるいは帽子まびさし成形具に置かれ得るその他の所望のサインであれ、利用者が帽子まびさし成形具上のサインを利用して特定の文言をつくれる点である。
【００３２】
本発明のもう一つの利点は、該帽子まびさし成形具により、帽子まびさしが帽子まびさしの縁で、またぎざぎざ部あるいは穿孔部でも、帽子まびさし成形具が帽子まびさし上の然るべき場所に保持される帽子まびさしの面がしっかりと捕捉されるので、帽子まびさし成形具が帽子のスポーツ行事におけるような激しい使用中でも帽子まびさしから落ちない点である。
【発明を実施するための最良の形態】
【００３３】
図１〜図２３において、正面日よけあるいはまびさしのある野球帽タイプ１６あるいはその他の帽子の日よけあるいはまびさし１８に即座に利用されるとともに、帽子まびさし上の然るべき位置の帽子まびさし成形具とともに着用され得る帽子まびさし成形装置には、帽子まびさし１８の幅より長さが少しだけ長い曲線付きの成形細長片２０、２０Ａ〜２０Ｈおよび２０Ｊ〜２０Ｋが含まれる。成形細長片にはまびさし成形装置の上面側２１に貼られると同時に見て貰う印刷された、エンボスの付いた、焼き印されたあるいはその他のサイン４４がのせられ得る露出した上面側がある。下面側２３は帽子まびさし１６の上面に接触するよう合わされるとともに、帽子まびさし１８が曲線付きの細長片の形状に一致するよう合わされる。
【００３４】
1組の保持縁細長片２５および２７がそれぞれ成形細長片の対向する端部から下方に伸び、該保持縁はそれぞれ帽子まびさしの側縁に接触しかつこれが保持されるよう合わされる。成形細長片の各端部あるいはその近傍にある保持縁細長片あるいはスナップ３０、調節可能スナップ２４あるいはスパイク４６から内側に伸びる結合つまみ棒１５であり得る結合手段により、帽子まびさしの両側のそれぞれが成形細長片に結合され帽子まびさし成形装置がスポーツ行事中のような帽子の激しい使用中でも成形可能帽子まびさしから落ちないように、該成形細長片が成形可能帽子まびさし１８の片面縁の一部分が取り外し可能に受入れられると同時に圧縮されるとともに、締め上げ圧縮合わせで曲線付きの成形細長片の下面２３に押し当てられてしっかり捕捉されるよう合わされて、該装置は成形可能帽子まびさしが曲線付きの成形細長片の形状に一致するよう対応される。
【００３５】
まびさし成形装置は、帽子まびさし１８の比較的平らな形状の成形細長片と一緒に、組の保持縁細長片２５および２７間に挿入可能な成形可能帽子まびさし１８を受入れる成形細長片の比較的平らな形状での外側への曲げに適合される半硬質材料の１部品で製作されるのが好ましいと同時に、該結合手段は、帽子まびさしを各端部のまびさし成形細長片に結合して固定すると同時に、さらに帽子およびまびさし上における曲線付きの成形細長片の取り外し可能な保持のため、かつ曲線付きの成形細長片に一致させるための成形可能帽子まびさしの曲げのために曲線付きの形状への曲げ戻しに対応される。
【００３６】
図１〜図７では、結合手段に成形細長片の下面２３から帽子まびさし１８の厚み未満の量だけ離れた成形細長片の各端部の保持縁細長片２５および２７によって取付けられる一定間隔で配されるつまみ１５が含まれ、該つまみ１５は締め上げ圧縮合わせで曲線付きの成形細長片の下面に押し当てて帽子まびさしの側面縁が固定されるよう合わされる。
【００３７】
少なくとも1個の鋭い突出部１４が帽子まびさし成形装置から伸びるとともにこれにより帽子まびさし成形具２０、２０Ａおよび２０Ｂの帽子まびさし１８上の然るべき場所での保持が助けられるよう帽子まびさし１８が噛合される。
【００３８】
曲線付きの成形細長片は、帽子まびさしの比較的平たい形状でつまみ１５と成形細長片２０、２０Ａおよび２０Ｂとの間に挿入可能な帽子まびさし１８の受入れのため外側曲げに対応されるとともに、さらに帽子まびさし１８の成形のための曲線つき形状の曲げ戻しに対応される半硬質材料、好ましくは、鋳造プラスチックあるいはナイロンあるいはゴム加工プラスチックあるいはその他の材料から製作されるのが好ましい。
【００３９】
図６および図７では、帽子まびさし成形具２０Ｃにはさらに成形細長片２０Ｃの各端部にある組の片方と一緒に作動中の蝶番１２が回転可能に取付けられる1組の曲線付きの腕８Ｂおよび９Ｂが含まれる。曲線付きの形状の腕８Ｂおよび９Ｂの組には突出つまみ１０のような調節可能な重ね合わせ手段、対の受入れ穴１１があると同時に、成形細長片２０Ｂの曲率と対の曲率があって曲線付きの形状の腕の組が帽子まびさし１８の下面側と接触するよう回転すると同時に、さらに帽子まびさしの成形を助けると同時に、図６に見られるように帽子まびさし２０Ｂが帽子まびさし１８上に保持されるために帽子まびさしがその間に挟み込まれるよう合わされる。
【００４０】
鋭い突起部１４は、組となった曲線付きの腕８Ｂおよび９Ｂから伸びると同時に、これにより、帽子まびさし表面に穿孔あるいはぎざぎざが付けられ、帽子まびさし１８が噛み合わせられるとともに、帽子まびさし成形具が帽子上に着用されると同時にスポーツ行事中でも落ちないよう帽子まびさし１８上の然るべき場所での帽子まびさし成形具２０Ｃの保持が助けられる。
【００４１】
図４および図５では、帽子まびさし成形具２０Ａの全範囲の実施例により帽子まびさし１８の上面全体が含まれると同時に、帽子まびさしの厚さ未満の量だけ成形細長片の下面から離される成形細長片の正面側面縁上に一定間隔で配置される取付けつまみ１５Ａがあり得て、該つまみ１５Ａが締め上げ圧縮合わせで曲線付きの成形細長片の下面に押しつけて帽子まびさし１８の正面縁の固定に対応される。
【００４２】
図１および図４では、露出した帽子細長片２１の下面が、スポーツ関連情報あるいは個人的情報あるいは広告あるいは任意のタイプの、印刷されるかあるいは写し絵が含まれるその他の貼られる言葉および画像のようなそこに貼られるサイン４４の受入れに対応される。帽子まびさし成形具は簡単に取り外し可能でかつ異なるサインをのせたその他のものと取替え可能である。
【００４３】
図１および図２では、帽子まびさし成形装置２０の幅は帽子まびさし１８の長さ未満である。図４および図５では、帽子まびさし「形具２０Ａの幅は帽子まびさし１８の長さに等しい。図５の点線１３により成形細長片２０Ａは帽子まびさしの長さより大きな幅を持ち得ることが示される。
【００４４】
図８〜図２３では、本発明の代替実施例には移動可能に該装置が上側面と下側面を利用した取付け成形可能帽子まびさし１８のある帽子１６に取付けられる代替取付け手段がある。まびさし調節具あるいは成形具２０Ｃ〜２０Ｈ、２０Ｊおよび２０Ｋの底部下面側２３はまびさし１８の上面側に隣接して置かれる。
【００４５】
まびさし調節具には帽子まびさし１８を再成形する上面側２１および下面側２３がある。示される実施例は帽子１６まびさし１８の形状にほぼ近いけれども、図２１およびその他に示されるようにまびさし調節具２０Ｆ〜２０Ｈおよび２０Ｊの代替形状が予想される。図９、図１７、図２０および図２３に見られるように、まびさし調節具には第1保持縁細長片２５および第２保持縁細長片２７がある。まびさし調節具２０はポリエステルから製作されるのが好ましいがアルミニウムあるいは薄いスチールからも製作され得る。
【００４６】
図８〜図１３では、図９に示されるようにまびさし成形具あるいは調節具２０Ｃには縁細長片２５のある第1側面近くの雄スナップ３０および縁細長片２７のある第２側面近くの調節可能なスナップ３６がある。雄スナップ３０および調節可能なスナップ３６は両方ともまびさし調節具あるいは成形具２０の底面２３上に置かれる。雄スナップ３０および調節可能スナップ３６はポリマーから製作されるのが好ましい。雄スナップ３０は下面２３に鋳造されるかあるいは接着剤で取付けられ得る。
【００４７】
図８の固定スナップ２９は図１４の帽子まびさし１８に添えられる、対応したまびさしスナップ雌部分２２のある雄スナップ部分３０から構成される。調節可能スナップ３６にはひもの通るキャップ雄部分３４および図１４の帽子まびさし１８上に、対応するまびさし雌部分２２がある。調節可能スナップ３６は縁細長片２５については第1側面の方向に、縁細長片２７については第２側面の方向に滑って調節可能である。
【００４８】
この調節は図１１および図１１Ａのスロット２６および棚２８のある調節箱２４によってもたらされる。該調節可能スナップ３６には図８、図１２、図１２Ａ、図１３、図１３Ａのひもの通る滑り具３２および対応するひもの通るキャップ３４がある。ひもの通る滑り具３２にはひもの通る滑り具３２の基盤部３３が調節箱２４の棚２８の内部で滑れるように棚２８の大きさに対応した長方形基盤部３３がある。ひもの通るキャップ３４はひもの通る滑り具３２の茎部３８に取付けられる。該ひもの通るキャップ３４が茎部３８に取付けられるとすぐ、縁細長片２７のある第２側面に最も近いまびさしスナップ２２に挿入されて、まびさし調節具２０がまびさし１８に固定される。調節箱２４は底面２３に接着剤で取付け可能である。
【００４９】
ひもの通る滑り具３２の茎部３８は調節箱２４のスロット２６を通じて挿入される。調節箱２４はその後、まびさし調節具２０の底面２３に固定される。ひもの通る滑り具３２の基盤３３はその後調節箱２４の棚２８の内部を平行移動する。ひもの通る滑り具３２が調節箱２４に関連して固定されるためにはひもの通るキャップ３４がひもの通る滑り具３２の茎部３８にネジ留めされることが必要とされる。ひもの通るキャップ３４が調節箱２４の方に向けられる時、端部４１は図９のひもの通る滑り具３２が固定される調節箱２４および調節箱２４に関連するひもの通るキャップ３４によりかかる。ひもの通るキャップ３４は縁細長片２７のある第２側面に最も近い雌まびさしスナップ２２に挿入可能かつこれによって固定可能であるように大きさが決められる。
【００５０】
雄スナップ３０が保持縁細長片２５のある第1側面に最も近いまびさしスナップ２２に固定されると同時に、ひもの通るキャップ３４が保持縁細長片２７のある第２側面に最も近いまびさしスナップ２２に固定される時に、まびさし調節具が帽子１６のまびさし１８に固定される。ひもの通る滑り具３２に関連してひもの通るキャップ３４が緩められることにより基盤部３３が調節箱２４に関連して棚２８内部を滑ることが可能となる。これにより、固定スナップ２９と調節可能スナップ３６間の距離の変化が可能となる。固定スナップ３０と調節可能スナップ３６間の距離が変化すると同時に、これらの要素がその後それぞれのまびさしスナップ２２に再び取付けられる場合にはまびさし１８の丸みは利用者によって調節可能である。利用者は利用者のニーズと希望に応じてまびさし１８の丸みを利用者向けに合わせることが可能である。
【００５１】
図１７および２０にはまびさし調節具あるいは成形具２０Ｅのもう一つの実施例が示される。このまびさし調節具２０の実施例には、上部面２１、底面２３、縁保持細長片２５付きの第1側面および縁保持細長片２７付きの第２側面がある。好ましい実施例では、まびさし調節具あるいは成形具はポリマー材料製である。この実施例には1組のスパイク４６があり、一つは縁保持細長片２５付きの第1側面近くに置かれるとともに、第２スパイク４６は縁保持細長片２７のある第２側面近くに置かれる。スパイク４６はまびさし１８を貫通するのに十分な強さのポリマー材料製であると同時に、まびさし調節具あるいは成形具２０Ｅと一緒に鋳造されるのが好ましい。もしくは、スパイク４６はスチール製であっても良いと同時にまびさし調節具あるいは成形具２０Ｅに鋳込まれる。この実施例の帽子調節具あるいは成形具２０Ｅにより、スパイク４６が通常２つの繊維層の間に挟まれた厚紙あるいは板紙である帽子まびさし１８に押し通されるとともに、保持具４８の穴４９がスパイク４６上に置かれてかつ保持具４８の基盤部５０が図８、図１９、図２０のまびさし１８の底部に押しつけられて固定され帽子まびさし１８に取付けられ得る。好ましい実施例の保持具４８はポリマー材料製であると同時に穴４９はスパイク４６が摩擦合わせで固定されるよう大きさが決められる。保持具４８により、こうしてまびさし調節具あるいは成形具２０Ｅが帽子まびさし１８に固定されて最適な利用者選択の帽子まびさし１８の丸みが提供される。帽子まびさし１８を貫通してスパイク４６が様々な場所におかれることによって帽子まびさし１８の丸みが調節可能となる。
【００５２】
この実施例は利用者が所有可能であるか、あるいはある帽子１６から別の帽子１６に移動され得る様々な帽子１６に使用可能である。同様に、このまびさし調節具２０Ｅの実施例には上面にのるサインがある。このサイン４４は示されていないが、永続的に上面に添えられることも取り外すこともあるいは取替えることもいずれも可能である。
【００５３】
示される帽子まびさし調節具あるいは成形具２０、２０Ａ〜２０Ｅおよび２０Ｋの実施例は帽子まびさし１８の形状とほぼ近いが、図２１に示される通りまびさし調節具２０Ｆ〜２０Ｈおよび２０Ｊの代替え形状その他も予想される。図２１に示される実施例は例示的な意味のものであって限界を意味するものではない。
【００５４】
図２２および図２３には縁保持細長片２７のある第２側面近くの調節可能スナップ３６および縁保持細長片２５のある第1側面近くのスパイク４６のある帽子まびさし成形具２０Ｋのもう一つの実施例が示される。調節可能スナップ３６は図１４のまびさしスナップ２２のある帽子まびさし１８に取付けられると同時に、スパイク４６は図２３に示されるように保持具４８のある帽子まびさし１８に取付けられる。示されたまびさし調節具あるいは成形具２０Ｋの実施例は帽子１６まびさし１８の形状にほぼ近いが、図２１に示されるようなまびさし調節具あるいは成形具２０Ｆ〜２０Ｈおよび２０Ｊの代替え形状およびその他が予想される。図２１に示される実施例は例示を意味するものであって限界を意味するものではない。
【００５５】
示されていない留め金およびループ締結具、接着剤および縫いつけといったその他のまびさし調節具の帽子まびさしへの取付け方法が利用され得ることが予想される。
【００５６】
これまでの説明は単に例示によって与えられるものであって、本発明の限界を与えるものではないことならびに様々な変更が特許請求されるような本発明の精神から外れないこれらになされ得ることが理解される。
【図面の簡単な説明】
【００５７】
本発明に関するこれらとその他の詳細は添付の図面と関連して説明されるが、これらは例示を通じてのみかつ本発明の限界ではないものとして提供される。すなわち、
【図１】帽子まびさし成形具として表示されるサイン付きの本発明の帽子まびさし成形具の上部が示される透視図。
【図２】帽子まびさし上に取付けられる図1の帽子まびさし成形具の下側が示される透視図
【図３】図１あるいは図４の帽子まびさし成形具の正面立面図。
【図４】帽子まびさし上に取付けられる帽子まびさし成形具として表示されるサイン付きの本発明の帽子まびさし成形具の上部が示される透視図で、該帽子まびさし成形具が、幅が帽子まびさしの長さに等しい細長片で形成されると同時に帽子まびさしの捕捉用の追加の正面縁捕捉具を有する。
【図５】帽子まびさし上に取付けられる図４の帽子まびさし成形具の下側が示される透視図。
【図６】帽子まびさしの所望の曲率の成形および帽子まびさし上の然るべき場所での帽子まびさし成形具の保持がさらに助けられる帽子まびさしの下側に相互接合される1組の調節可能重ね合わせ蝶番付き硬質腕を有するとともに、帽子まびさしと噛み合う腕からの鋭い突起部が示される図１あるいは図４の帽子まびさし成形具の正面立面図。
【図７】蝶番付き硬質腕が開いた図６の帽子まびさし成形具の正面立面図。
【図８】帽子のまびさしに取付けられるまびさし成形用の調節可能手段のついた本発明の1実施例の上部平面図。
【図９】図８の本発明の実施例の正面立面縁図。
【図１０】図８の本発明の実施例に関する形状調節具の端部立面図。
【図１１】図８の本発明の実施例の形状調節具の底面図。
【図１１Ａ】図８の本発明の実施例に関する形状調節具の上部平面図。
【図１２】図８の形状調節具の紐付き滑り具の実施例に関する上部平面図。
【図１２Ａ】図８の形状調節具のひもの通る滑り具の実施例に関する側面立面図。
【図１３】図８の本発明の実施例に関するひもの通る帽子の実施例の上部平面図。
【図１３Ａ】図８の本発明の実施例に関するひもの通る帽子の実施例の側面立面図。
【図１４】まびさしスナップ付きの帽子とまびさしの実施例の上部平面図。
【図１５】雄スナップの実施例の底面図。
【図１６】代表的なサイン付きの本発明の実施例の上部平面図。
【図１７】まびさしピンのある本発明のもう一つの実施例の正面立面縁図。
【図１８】図１７の本発明の実施例のまびさしピンの実施例の底面図。
【図１９】図１７の本発明の実施例のまびさしピン上に位置する保持具の実施例の側面立面図。
【図２０】まびさしピンへの接合用に並ぶ保持具付き帽子のまびさしに取付けられる図１７の本発明の実施例の正面立面縁図。
【図２１】本発明のまびさし成形具の幾つかの代替形状の上部平面図。
【図２２】形状調節具および帽子のまびさしに取付けられるピン付きの本発明のもう一つの実施例の上部平面図。
【図２３】まびさしピンへの取付け用に並べられる保持具付きの帽子のまびさしに取付けられる図２２の本発明の実施例の正面立面縁図。
【図１】
2008501871.tif 000003
【図２】
2008501871.tif 000004
【図３】
2008501871.tif 000005
【図４】
2008501871.tif 000006
【図５】
2008501871.tif 000007
【図６】
2008501871.tif 000008
【図７】
2008501871.tif 000009
【図８】
2008501871.tif 000010
【図９】
2008501871.tif 000011
【図１０】
2008501871.tif 000012
【図１１】
2008501871.tif 000013
【図１２】
2008501871.tif 000014
【図１２Ａ】
2008501871.tif 000015
【図１３】
2008501871.tif 000016
【図１３Ａ】
2008501871.tif 000017
【図１４】
2008501871.tif 000018
【図１５】
2008501871.tif 000019
【図１６】
2008501871.tif 000020
【図１７】
2008501871.tif 000021
【図１８】
2008501871.tif 000022
【図１９】
2008501871.tif 000023
【図２０】
2008501871.tif 000024
【図２１】
2008501871.tif 000025
【図２２】
2008501871.tif 000026
【図２３】
2008501871.tif 000027
【国際調査報告】
2008501871.tif 000028